(57)【特許請求の範囲】
【請求項１】
支持板（２５）と複数のランナー（１９）とを有し、前記支持板と前記複数のランナーは、前記ランナーが前記支持板上を滑ることを可能にする走行面（２７、１４）をそれぞれが有する、移動荷重（３）を支持する装置において、前記支持板の走行面とは反対側の面に沿って隙間（２６）を形成するスペーサ手段（２９）と、前記ランナーを前記支持板の周りの閉じた経路に沿って駆動する駆動手段（２４、３２、３３）とをさらに有し、該閉じた経路は、前記ランナーが支持板上を滑る外側の経路と、前記ランナーがその走行面を前記支持板と反対方向に向けて前記隙間を通過する戻り経路とを有することを特徴とする移動荷重支持装置。
【請求項２】
前記駆動手段は、複数の前記ランナーに対して横方向に配置された少なくとも１つの閉ループ駆動部材（２４）と、前記閉経路を規定するように前記閉ループ駆動部材を案内する案内手段（３２、３３）とを有し、前記各ランナー（１９）は、前記閉じた経路に垂直で、前記ランナーの端部に近い軸（２２）を中心として揺動するように前記閉ループ駆動部材上に関節式に取付けられており、前記ランナーの前記端部（２０）は、前記ランナーの長さに少なくとも等しい距離だけ前記支持板から離れている前記閉じた経路の端部を向いており、該端部には前記案内手段（３３）が、前記ランナーが反転させられることなく前記閉じた経路に沿って進めるように取付けられている、請求項１に記載の移動荷重支持装置。
【請求項３】
前記駆動手段は、前記複数のランナー（１９）の両側に平行に配置された２つの閉ループ駆動部材（２４）を有し、前記案内手段は、前記閉じた経路の前記端部に、それぞれ前記２つの駆動部材を受け入れる一対のピボットホイール（３３）を有し、前記一対の２つのピボットホイール間の空間は前記ランナーの通路を自由に提供している、請求項２に記載の移動荷重支持装置。
【請求項４】
前記ランナーが前記閉じた経路に沿って前記端部を進むとき前記ランナー（１９）を支持するように、前記閉じた経路の前記端部の支持板（２５）との間にある空間内を揺動する、少なくとも１本のレバー（４０）をさらに有する、請求項２または請求項３に記載の移動荷重支持装置。
【請求項５】
前記レバー（４０）の揺動は、前記ランナー（１９）を前記閉じた経路に沿って逆方向へ送るために、前記荷重（３）の移動方向を逆転する時に、前記ランナー（１９）を前記閉じた経路の前記端部付近で持上げるように調節される、請求項４に記載の移動荷重支持装置。
【請求項６】
前記レバー（４０）の揺動は、前記案内手段（３３、３５）によって駆動されるカム機構（４３）によって制御される、請求項４または請求項５に記載の移動荷重支持装置。
【請求項７】
各閉ループ駆動部材が、前記案内手段の一部を構成する歯車（３２、３３）とかみ合うチェーン（２４）である、請求項２から請求項６のいずれか１項に記載の移動荷重支持装置。
【請求項８】
前記各ランナー（１９）は、前記駆動手段上の関節式の連接手段（２１）が連結される少なくとも１つの金属補強材（１３）を有する、請求項１から請求項７のいずれか１項に記載の移動荷重支持装置。
【発明の詳細な説明】
【０００１】
本発明は、重量物を支持するためにベースと重量物との間に挿入され、重量物をベースに対して水平に移動させることができるように設計された装置に関し、特に橋梁の送り出しに用いられる技術に適用されるが、これに限定されるものではない。
【０００２】
この技術により、構造物のデッキは設置場所に隣接した川岸で組み立てられ、設置場所における機構が著しく簡易化される。デッキはセグメントに分割されて製作される。セグメントが組み立てられると適切な移動装置によって橋梁の経路に沿って押し出され、次のセグメントを作ることができる。デッキのセグメントは既に所定の場所に作られている構造物の橋脚の上を滑って移動する。
【０００３】
橋梁を送り出すために用いられる技術の要点が図１〜図６の図面に示されている。
【０００４】
図１から図４は橋梁で結ばれる谷間２の側部に設けられたプラットフォーム１を示す。橋梁のデッキ３はこのプラットフォーム１でセグメントごとに分割されて製作される。適切な押し出し部４が、デッキ３の各セグメントの作業の間、プラットフォーム１の後端に配置されている（図１および図３）。このセグメントが完成すると、プラットフォーム１の建設場所から移すために、押し出し部４が橋梁のデッキを前方に移動させ、それを谷間に向けて押し出し（図２および図４）、デッキは既に作られている橋梁の橋脚７上で支持される。図１から図４に示される実施例では、押し出し部４は完成したデッキのセグメントの後方に支持されて、プラットフォーム１の谷間２に近い端部に設けられた適当な基礎６に固定されたケーブル５のような部材によって油圧モータを用いて牽引力を働かせ、デッキを前方に移動させるために押し出し部４は谷間に向けて前進させられる。
【０００５】
橋梁を押し出すための適用において、本発明は特に押し出し作業の間に橋梁のデッキ３を橋脚７の頂部でスライドさせるために用いられるシステムに関する。
【０００６】
従来、この目的のためにランナーベアリング８が使用され、それは橋脚７の頂部に取り付けられ（図１から図５）、デッキ３の下に係合されるランナー９が前方へ移動する時にランナー９と協働する。これらのランナー９は図１から図４には図示されていないが図５に図示されている。一般的にいえば、各橋脚７の幅にわたって少なくとも２つのランナーベアリング８が設けられて、デッキ３が安全に支持されることを保証する。図１から図４に示すように、迫出しノーズ１０がデッキ３の第１のセグメントの前方に片持ち状態で取り付けられている。この迫出しノーズは橋脚上に支持されて、初期迫出し動作中にデッキが谷間内で揺れるのを防止する。また、それは構造の既成部分が２つの橋脚間で片持ち状態となる質量を制限する。
【０００７】
ペアリング８は支持ブロック１１を備え、その頂面は磨いたステンレス鋼でできた金属板１２に覆われている（図５）。各ランナー９（図６）はネオプレンのような変形可能な材料から作られ、１つ以上の金属バンド１３により補強されている。ランナーの底面にはプレート１２の金属に対して低い摩擦係数を示すコーティング１４を有する。コーティング材料１４は、例えば、ポリテトラフロロエチレン（ＰＴＦＥ）とすることができる。図６に示す実施例では、ランナー９は単純にＰＴＦＥ１４のコーティングとランナー頂面上の変形可能な材料１５との間に挟まれた鋼バンド１３により構成されている。変形可能な材料１５はデッキ３の底面に接触し、その中のいかなるでこぼこにも順応し、ＰＴＦＥ１４により被覆された面はベアリング８上を滑る。
【０００８】
オペレータはデッキ３が部材４により押し出される時に、ランナー９をデッキ３の下へ手で係合させる（図５の矢印Ｆ）。次に、ランナーはデッキにより駆動されて転位される。ベアリング８を越えて移動すると、それは橋脚７の反対側から落下する（矢印Ｆ’）。特に非常に長い構造の場合に、橋脚頂部のデッキの下にランナーを係合させるために相当な数となることがあるオペレータの存在は、非常に多くの問題を生じ、これらのオペレータはランナーを逆さに挿入する等の災害を招く結果となる過ちや手落ちを犯すことがあり（ＦＲ−Ａ−２７５８８３５参照）、事故が生じることがあり、その結果労賃が増加する。
【０００９】
仏国特許出願ＦＲ−Ａ−２５９７５２０には、オペレータを無しで済ませるために、ベアリングとランナーのシステムの代わりとしての装置が開示されている。この装置は平坦化されたシリンダーの形の剛性コアとコア周りに配置された補強エラストマの連続バンドからなっている。バンドは前進するデッキの荷重を受けるとコア上を滑る。実際上、この装置は非常に重い荷重には効率的に対処しない。
【００１０】
デッキを急斜面に沿って変位させる必要がある非常に大きな構造物に対して、比較的複雑な構造の手の込んだ機構が開発されており、連続ステップで水平スラスト動作を遂行できるように橋脚頂部に付加持上げジャッキを内蔵している。このような機構は大概の応用にとって複雑で費用がかかりすぎる。
【００１１】
特許出願ＤＥ−Ａ−２８１１２００およびＦＲ−Ａ−２４３７４６６にはプレート周りに配置された連続ベルトを形成するように組み立てられたランナーが取り付けられたランナーベアリングが記載されている。ベルトはプレート周りに循環する経路を有し、それに沿ってランナーの走行面はプレートに向けられている。プレートの端部でその経路の曲率に従うことができるように、多数の比較的小さいランナーが使用される。これらの装置の欠点は橋脚頂部とデッキ底面との間に自由空間を設けるために相当な高さを必要とすることである。
【００１２】
本発明の目的は重量荷重（例えば、迫出しブリッジデッキ）をベース（例えば、橋脚）に対して自動的に滑らせることができる有効で比較的単純な装置を提示することである。
【００１３】
そのために、本発明は、支持板と複数のランナーとを有し、支持板と複数のランナーは、ランナーが支持板上を滑ることを可能にする走行面を有する移動荷重支持装置を提示する。この装置は、支持板の走行面とは反対側の面に沿って隙間を形成するスペーサ手段と、ランナーを支持板の周りの閉じた経路に沿って駆動する手段とをさらに有し、該閉じた経路（循環経路ともいう）は、ランナーが支持板上を滑る外側の経路と、ランナーがその走行面を支持板と反対方向に向けて上記の隙間を通過する戻り経路を含んでいる。
【００１４】
従って、ランナー上の信頼できる滑り動作の原理が保持される。ランナーはオペレータの存在を必要とせずに経路に沿って自動的に移動される。
【００１５】
この種の装置は橋梁のデッキを迫り出すのに使用することができ、支持板の走行面は上向きとされる。それは地上もしくは任意の他の固定ベース上で重量荷重を移動させるのに使用することもでき、その場合支持板の走行面は上向きとされるか（支持板は地上に配置されランナーは荷重により駆動される）、あるいは下向きとされる（支持板は荷重に固定されランナーは地上に支持される）。
【００１６】
本発明により提示される装置の好ましい実施態様において、
−  駆動手段は、複数のランナーに対して横方向に配置された少なくとも１つの閉ループ駆動部材と、閉じた経路を規定するように閉ループ駆動部材を案内する手段とを有し、各ランナーは、閉経路に垂直で、ランナーの端部に近い軸を中心として揺動するように閉ループ駆動部材上に関節式に取付けられており、ランナーの端部は、ランナーの長さに少なくとも等しい距離だけ支持板から離れている閉じた経路の端部を向いており、この端部には案内手段がランナーが反転させられることなく閉じた経路に沿って進めるように取付けられている、
−  駆動手段は、複数のランナーの両側に平行に配置された２つの閉ループ駆動部材を有し、案内手段は、閉じた経路の前記端部に、それぞれが２つの駆動部材を受け入れる一対のピボットホイールを有し、一対の２つのピボットホイール間の空間はランナーの通路を自由に提供している、
−  ランナーが閉じた経路に沿って端部を進むときランナーを支持するように、閉じた経路の端部の支持板との間にある空間内を揺動する、少なくとも１本のレバーをさらに有している、
−  レバーの揺動は、ランナーを閉じた経路に沿って逆方向へ送るために、荷重の移動方向を逆転する時に、ランナーを閉経路の端部付近で持上げるように調節される、
−  前記２項の１つに記載されたレバーの揺動は、案内手段によって駆動されるカム機構により制御される、
−  各閉循環ループ駆動部材が、案内手段の一部を構成する歯車とかみ合うチェーンでありる、
−  各ランナーは、駆動手段上の関節式の連接手段が連結される少なくとも１つの金属補強材を有する。
【００１７】
本発明の他の形態や好ましい応用例が次の実施の形態で図面を参照して詳細に説明されるが、これに制限されるものではない。
【００１８】
図７はランナー１９を示し、その一般的構造は上述のランナーと同様である。特に、ランナーはＰＴＦＥ等の低い摩擦係数を有する材料で被覆された走行面１４を有する。補強材１３は、端部２０と平行な方向で周りにランナーの関節式連接を行う軸２２を受け入れるための延長部２１を、ランナーの一方の端部２０上に有する。
【００１９】
図８から図１１に示す装置では、軸２２の２つの端部は、ランナー１９の両側に配置された２つの平行なチェーン２４のリンクに接続されている。２つのチェーン２４はランナー１９を循環ループ経路に沿って駆動する。この経路の２つの端部において、チェーン２４は歯車３２、３３により案内され、それらは第１に支持板２５周りに延びるランナーの外向き経路の一部を、第２に支持板２５の下に設けた間隙２６中をランナーが通過する戻り経路を規定する。
【００２０】
支持板２５は、例えば、鋼製である。磨いたステンレス鋼板２７を被せたその頂面はＰＴＦＥコーティング１４を有するランナーの底面と互いに協調してスライド面を形成する。
【００２１】
ここに示す例では、支持板２５はやはり鋼製で橋脚７の頂部に固定されたベースプレート２８上に配置される。プレート２５および２８の間に間隙２６を設けるために、これら２つのプレート間の、ランナー１９およびチェーン２４の両側に鋼製のスペーシングビーム２９が配置されている（図８）。支持板２５およびビーム２９はデッキ３の荷重に耐えるように十分頑丈でなければならない。典型的な一実施例では、支持板２５はおよそ１０ｃｍ厚であり、ビーム２９はランナー１９がその戻り経路に沿って通過するのに丁度十分な数ｃｍの高さである。
【００２２】
ランナーの循環ループ経路の各端部において、２つの側面支持材３０、３１がプレート２５、２８の両側に配置されている。これらの側面支持材３０、３１はチェーン２４がかみ合う歯車３２、３３の回転軸３４、３５を支持する。循環経路の後端部（図９から図１１の左側部分）においては、歯車３２の軸３４は一方の側面支持材３０から他方の側面支持材３０へ装置を横切って延びることができる。一方、装置の前端部においては、歯車３３の軸３５はそれぞれが側面支持材３１により支持され、２つの歯車３３間の間隙内へ延びることがない。
【００２３】
それに沿ってチェーン２４に関節的に連接される各ランナー１９の端部２０は、装置の前端部へ向けられており、デッキ３は原則として後端部から前端部へ向かって移動する。
【００２４】
図９から図１１に示されるように、支持板２５の前縁と循環経路の前端部間の距離はランナーのその経路に沿った長さよりも大きい。ランナーがその外向き経路の端部に達し支持板２５全体を越えて移動していると（図１０に示す位置）、ランナーはベースプレート２８へ向かって落下し、２つの歯車３３間の間隙内に軸がないことにより、ランナーは反転することなく落下できる。従って、ＰＴＦＥで被覆されたランナーの底面１４はベースプレート２８の頂面上に配置される。ＰＴＦＥコーティング上の摩損を回避するために、このプレート２８の頂面をもう１つの磨いたステンレス鋼板３７で被覆することが望ましい。
【００２５】
ランナーは戻り経路上に配置され、デッキ３により駆動されるランナーにより駆動されるチェーン２４によってその戻り経路に沿って駆動される。装置の後端部において、歯車３２間に存在する軸３４はランナーが反転されずに起きることを妨げず、その連接軸２２は歯車３２の外形に従って移動する。
【００２６】
ランナーの良好な駆動動作を確実にするために、軸３５を軸３４から離れるように付勢するスプリングのような、図示せぬ、チェーン２４の緊張手段を設けることが望ましい。
【００２７】
ランナーを装置の前端部でソフトランディングさせるために、１本以上の揺動レバー４０を支持板２５とランナーの循環経路の前端部との間のスペース内に配置することが有効である。ここに示す例では、装置は２本の平行なレバー４０を有し、その後端部にはＰＴＦＥを被覆したランナーの底面と接触するように設計されたローラ４１が支持されている。
【００２８】
レバー４０は歯車の回転軸３５に平行な軸４２に固定されている。軸４２はカム機構と協働してレバー４０の揺動を制御する。例として、歯車３３の連接軸３５は側面支持材３１の外側に配置されたカム４３へ連結することができる（図９）。これらのカム４３は横方向にレバー４０まで延びる回転軸４２の側面支持材３１を越えた部分に固定されているアーム４４を作動させる。レバー４０およびローラ４１の重量によって、可動性ユニット４０−４２、４４はローラ４１がベースプレート２８の頂面と同一平面となる位置へ向かって揺動する傾向がある。しかしながら、動作のあるフェーズにおいて、カム４３はアーム４４を作動させてローラ４１を図１０に示す位置へ移動させ、そこでそれは支持板２５の頂面と同一平面となる。
【００２９】
従って、図１０および図１１に示す位置間で、ランナーの落下はレバー４０の揺動運動により減速かつ制御され、ランナーはベースプレート２８上にゆるやかに降ろされる。
【００３０】
レバー４０の揺動により、所望により、さらにデッキ３の後退動作も可能となることも判る。デッキが後退する場合に、後端部におけるランナーの動作は妨げられることがない。前端部においては、ランナーはローラ４１により図１１の位置から図１０の位置へ持上げられ、同じカム４３が両方向の運動論的機能を満たす。
【００３１】
ランナーおよびコンクリート上の許容圧縮応力は図５に示すタイプの従来のベアリングの場合と同程度の大きさであり、数百万ニュートンの移動荷重を適切な全体厚の装置により支持することができる。支持能力を局所的に高めるために、このような装置をいくつか直列もしくは並列に配列することができる。また、ベースプレート２８をいくつかの装置間で共用することができる。このプレート２８の底面にはカップサポートにおいて従来使用されるのと同じタイプのピストンを設けて、装置が依存している力を伝達することなくデッキの任意の回転に適応できるようにすることができる。
【００３２】
図７から図１１を参照して上述した装置にさまざまな修正を加えることができる。本明細書は、迫り出される橋梁のデッキである重量荷重が、外向き経路上のランナーと接触するという仮定に立っている。装置をより綿密に見れば、上述したものに対してそれを逆さに配置することができ、重量荷重がベースプレート２８に加えられランナーが大地等の固定ベースに対して作用することも理解できる。
【図面の簡単な説明】
【図１】  橋梁を迫り出す技術を示す操作図である。
【図２】  橋梁を迫り出す技術を示す操作図である。
【図３】  橋梁を迫り出す技術を示す操作図である。
【図４】  橋梁を迫り出す技術を示す操作図である。
【図５】  建設中の橋梁の橋脚頂部で使用される従来のランナーシステムを示す模式図である。
【図６】  従来の構造を有するランナーの断面図である。
【図７】  本発明により提示される装置で動作するように設計されたランナーの断面図である。
【図８】  図８および図９に示すＶＩＩＩ−ＶＩＩＩ面に沿った、本発明により提示される装置の断面図である。
【図９】  図８に示す装置の平面図である。
【図１０】  経路に沿ったランナーの二つの異なる位置を示す、図８と図９のＸ−Ｘ面に沿った、装置の縦断面図である。
【図１１】  経路に沿ったランナーの二つの異なる位置を示す、図８と図９のＸ−Ｘ面に沿った、装置の縦断面図である。
【図１】
0003704307.tif 000002
【図２】
0003704307.tif 000003
【図３】
0003704307.tif 000004
【図４】
0003704307.tif 000005
【図５】
0003704307.tif 000006
【図６】
0003704307.tif 000007
【図７】
0003704307.tif 000008
【図８】
0003704307.tif 000009
【図９】
0003704307.tif 000010
【図１０】
0003704307.tif 000011
【図１１】
0003704307.tif 000012